(57)【要約】      （修正有）【課題】音声信号処理装置に適用できる微小形高周波同軸コネクタを提供する。【解決手段】微小形高周波同軸コネクタ１は、一端に複数の第１ねじ山１１２が設けられた接続部１１１が設けられ、もう一端に伝送ケーブルが設けられた雄コネクタ１１と、凹み溝１２１を有し、音声信号処理装置に配置される雌コネクタ１２と、を備え、凹み溝１２１の内面には、雄コネクタ１１と電気的に接続するために、複数の第１ねじ山１１２に対応した複数の第２ねじ山１２２が設けられている。前述の締め付け接続方式によれば、従来の挿入による係合方式に比べて、複数回挿抜をしても緩みまたは損傷を避けられるほか、長期間使用した後でも、元来の密着性を維持し続けることができ、音質が低下することなく安定的に維持できる。【選択図】図１
0003204329.tif 000002
【実用新案登録請求の範囲】
【請求項１】
音声信号処理装置に適用できる微小形高周波同軸コネクタであって、
一端に複数の第１ねじ山が設けられた接続部が設けられ、もう一端に伝送ケーブルが設けられた雄コネクタと、
凹み溝を有し、前記音声信号処理装置に配置される雌コネクタと、を備え、
前記凹み溝の内面には、前記雄コネクタと電気的に接続するために、前記複数の第１ねじ山に対応した複数の第２ねじ山が設けられていることを特徴とする、微小形高周波同軸コネクタ。
【請求項２】
前記接続部には、互いに接触しない複数の弧状突起柱が等間隔に配置されていることを特徴とする、請求項１に記載の微小形高周波同軸コネクタ。
【請求項３】
前記複数の弧状突起柱の数が偶数であることを特徴とする、請求項２に記載の微小形高周波同軸コネクタ。
【請求項４】
前記雄コネクタには、前記接続部の周囲を取り囲むように複数の通気孔が配置されていることを特徴とする、請求項１〜３のいずれか１項に記載の微小形高周波同軸コネクタ。
【請求項５】
音声信号の伝送に用いるイヤホンに取り付けられることを特徴とする、請求項１〜４のいずれか１項に記載の微小形高周波同軸コネクタ。
【請求項６】
音声信号の伝送に用いる音響装置に取り付けられることを特徴とする、請求項１〜４のいずれか１項に記載の微小形高周波同軸コネクタ。
【請求項７】
音声信号の伝送に用いる表示装置に取り付けられることを特徴とする、請求項１〜４のいずれか１項に記載の微小形高周波同軸コネクタ。
【請求項８】
音声信号の伝送に用いるホストコンピューターに取り付けられることを特徴とする、請求項１〜４のいずれか１項に記載の微小形高周波同軸コネクタ。
【請求項９】
音声信号の伝送に用いる携帯電話機に取り付けられることを特徴とする、請求項１〜４のいずれか１項に記載の微小形高周波同軸コネクタ。
【請求項１０】
音声信号の伝送に用いるタブレット型コンピューターに取り付けられることを特徴とする、請求項１〜４のいずれか１項に記載の微小形高周波同軸コネクタ。
【考案の詳細な説明】
【技術分野】
【０００１】
本考案は音声信号処理装置コネクタの分野に関し、特にねじ山の締め付け方式を利用し、長期間の使用により引き起こされる緩み現象を克服できる、微小形高周波同軸コネクタに関する。
【背景技術】
【０００２】
現在、音声信号の処理及び再生装置の種類は非常に多く、そのうち、よく見かけるものとして音響装置や設備、イヤホンまたはスピーカーなどがある。さらに、これらの装置のほとんどはケーブルで音声信号源と電気信号接続して、再生効果を実現している。イヤホンは音声信号処理装置のうち、もっとも使用されている装置である。以下に、イヤホン構造を例として、説明する。
【考案の概要】
【考案が解決しようとする課題】
【０００３】
一般のイヤホンの構造は、ほとんどがチャンバーと線材とを直接に固接する方法が採用されている。このため、線材を損傷してしまうと使用できなくなり、イヤホンごと交換しなければならない。一方、チャンバーは線材の単価に比べて高いため、線材を損傷しただけでチャンバーも一緒に廃棄されることは非常にもったいないことである。そのために、ある事業者は微小形高周波同軸コネクタ（ＭＭＣＸ）を考案し、チャンバーと線材とを取り外し可能に構成することによって、いずれか一方の損傷で両方とも廃棄せざるを得ない欠点は避けられることとなった。しかし、一般のＭＭＣＸコネクタによる接続方式は挿入係合式であり、つまり、雄コネクタに締結具を形成して、雌コネクタに挿入した後、雌コネクタの係合部と係合させて、雄コネクタの雌コネクタからの抜け出しを防ぐ。しかし、この種の方式で接続されたイヤホンは、複数回挿抜した後には雄コネクタと雌コネクタの係合箇所の緩みまたは損傷により、接触不良が引き起こされてしまい、元来の密着性を維持出来なくなって音質が低下し、使用者は元来の音質を楽しめない。音響装置とスピーカー等ほかの音声信号処理装置も同じく、挿入係合方式のＭＭＣＸコネクタにより線材と接続して音声信号の伝送効果を実現するため、同じ前述した欠点を持っている。
【０００４】
この点について、考案者は既存の製品の不備を鋭意研究し、本産業分野における長年に蓄積された経験をもとに、もう一種の接続方式を考案して微小形高周波同軸コネクタを提供し、前述した公知技術の欠点の改善を図る。
【課題を解決するための手段】
【０００５】
本考案の一目的は、コネクタの接続方式を改変することによって、公知技術による長期間使用後の緩みまたは損傷を引き起こす状況の改善を図る、微小形高周波同軸コネクタを提供することにある。
【０００６】
前述目的を達成するため、本考案の音声信号処理装置に適用する微小形高周波同軸コネクタは、一端に接続部を設け、接続部に複数の第１ねじ山を設け、もう一端に伝送ケーブルを設ける雄コネクタと、凹み溝を有し、凹み溝の内面は雄コネクタと電気接続するため、それらの第１ねじ山に対応して複数の第２ねじ山を設けて、音声信号データの伝送に用いる雌コネクタと、を含む。
【０００７】
接続部には互いに接触せずに釣り合って配置した複数の弧状突起柱を設け、好ましくは、それらの弧状突起柱の数を偶数に設け、接続部を凹み溝内部にねじ込むときに傾いたり引っ掛かったりすることを避ける。
【０００８】
そのほか、雄コネクタは接続部を巡らして設ける複数の通し穴を有しており、雄コネクタと雌コネクタとを締め付けるときに、凹み溝内部の空気を順調に排出できるため、締め付けを妨げない。
【０００９】
本考案は、前記微小形高周波同軸コネクタを有し、音声信号の伝送に用いるイヤホンをさらに提供する。このイヤホンは使用者が複数回挿抜しても影響はなく、接続部も損傷されない。
【００１０】
本考案は、前記微小形高周波同軸コネクタを有し、音声信号の伝送に用いる音響装置をさらに提供する。この音響装置は使用者が複数回挿抜しても影響はなく、接続部も損傷されない。
【００１１】
本考案は、前記微小形高周波同軸コネクタを有し、音声信号の伝送に用いるホストコンピューターをさらに提供する。このホストコンピューターは使用者が複数回挿抜しても影響はなく、接続部も損傷されない。
【００１２】
本考案は、前記微小形高周波同軸コネクタを有し、音声信号の伝送に用いる表示装置をさらに提供する。この表示装置は使用者が複数回挿抜しても影響はなく、接続部も損傷されない。
【００１３】
本考案は、前記微小形高周波同軸コネクタを有し、音声信号の伝送に用いる携帯電話機をさらに提供する。この携帯電話機は使用者が複数回挿抜しても影響はなく、接続部も損傷されない。
【００１４】
本考案は、前記微小形高周波同軸コネクタを有し、音声信号の伝送に用いるタブレット型コンピューターをさらに提供する。このタブレット型コンピューターは使用者が複数回挿抜しても影響はなく、接続部も損傷されない。
【００１５】
前述の締め付け接続方式によれば、従来の挿入係合方式に比べて、複数回挿抜しても緩みまたは損傷を避けられるほか、長時間使用した後でも元来の密着性が維持され、使用者が聞き取る音質は低下することなく、一定の品質が維持される。
【図面の簡単な説明】
【００１６】
【図１】本考案の第１実施例による分解図である。
【図２】本考案の第１実施例による取り付け後の態様図である（その１）。
【図３】本考案の第１実施例による取り付け後の態様図である（その２）。
【図４】本考案の第１実施例による取り付け後の態様図である（その３）。
【図５】本考案の第１実施例による取り付け後の態様図である（その４）。
【図６】本考案の第１実施例による取り付け後の態様図である（その５）。
【図７】本考案の第１実施例による取り付け後の態様図である（その６）。
【図８】本考案の第２実施例による分解図である。
【図９】本考案の第３実施例による分解図である。
【図１０】本考案の第４実施例による分解図である。
【考案を実施するための形態】
【００１７】
審査官の方々の本考案の内容のさらなる理解を図るため、以下の説明と図面とを組み合せて、参考にしていただきたい。
【００１８】
図１に示す本考案の第１実施例による分解図と、図２に示す取り付け後の態様図（その１）とを参照する。図１及び図２に示すように、本考案の微小形高周波同軸コネクタ１は音声信号処理装置２１に適用される。音声信号処理装置２１は一般に音声信号を処理、伝送または再生する物品またはユニットを指し、テレビ装置に内蔵するスピーカー、イヤホンチャンバー内部のスピーカーまたはコンピューターの音声信号処理装置等を含み、単なるイヤホン、音響装置等の一体型設計の音声再生物品に限られない。本考案の微小形高周波同軸コネクタ１は、一端に接続部１１１が設けられており、もう一端に伝送ケーブル２２が設けられた雄コネクタ１１と、音声信号処理装置２１に配置される雌コネクタ１２とを含む。接続部１１１には複数の第１ねじ山１１２を設けられている。雌コネクタ１２は凹み溝１２１を有し、凹み溝１２１の内面には雄コネクタ１１と電気的に接続するために、複数の第１ねじ山１１２に対応する複数の第２ねじ山１２２が設けられている。
【００１９】
ねじ締め付け接続方式によれば、使用者は雄コネクタ１１と、雌コネクタ１２とを簡単に一つに繋げることができる。公知技術の挿入係合方式に比べて、複数回挿抜した後でも、雄コネクタ１１と雌コネクタ１２とを緊密に接続できなくなり、音質が低下する心配はない。その理由は、第１ねじ山１１２と第２ねじ山１２２を、それぞれ接続部１１１と凹み溝１２１の内部に配しているため、公知技術の挿入係合方式が一つの係合具のみでもって係合するのに比して、本考案はより良い咬合性と接続性を有しており、緩みまたは損傷を確実に避けられることにある。一方、雌コネクタ１２には、凹み溝１２１を設ける一端が音声信号処理装置２１と電気的に接続している。図２には音声信号処理装置２１としてイヤホンチャンバーを例示されており、イヤホンに本考案の方式を適用して微小形高周波同軸コネクタ１を取り付ければ、イヤホンチャンバーと、伝送ケーブル２２との接続・分離を何度繰り返しても、使用者は同じ音質を楽しむことができ、音質低下に悩まされて、イヤホンの再度購入する出費を心配することはない。
【００２０】
続いて、図３から図７に示す、本考案の第１実施例による取り付け後の態様図（その２）〜（その６）を参照する。微小形高周波同軸コネクタ１を各種の音声信号を再生する電子装置に適用した後に、微小形高周波同軸コネクタ１と、音声信号処理装置２１を電気的に信号接続することによって、音声信号を電子装置に伝送するかまたは電子装置から他の場所に伝送して再生することができる。図３に示すように、本考案の雌コネクタ１２を取り付けた音響装置が提供される。ここにおいて、かかる音声信号処理装置２１は音響装置であり、音声信号を処理、出力または受信すると共に雌コネクタ１２と電気的に信号接続され、雌コネクタ１２を伝送ケーブル２２の雄コネクタ１１に接続して、微小形高周波同軸コネクタ１を介して、音声信号を音響装置に伝送して再生させる。さらに前述のとおり、微小形高周波同軸コネクタ１をねじ込み接続方式によって組み付けているため、音声信号の伝送は、使用者が複数回挿抜しても影響はなく、接続部も損傷されない。
【００２１】
図４に示すように、本考案を適用した表示装置が提供される。ここにおいて、かかる音声信号処理装置２１は表示装置の内部に設けられており、表示装置から出力する音声信号を処理する音声信号処理モジュールまたは処理装置等を指す。一方、雌コネクタ１２は表示装置のケーシング内に嵌設されていて、一端が音声信号処理装置２１と電気的に信号接続され、他端が伝送ケーブル２２の雄コネクタ１１と接続されて、微小形高周波同軸コネクタ１を介して、音声信号処理装置２１の音声信号を外部に伝送した後に、イヤホンまたは音響装置等の再生装置を用いて再生することができる。前述と同様に、この種の微小形高周波同軸コネクタ１はねじ込み接続方式によって組み付けているため、音声信号の伝送は、使用者が複数回挿抜しても影響がなく、接続部も損傷されない。
【００２２】
図５に示すように、本考案の音声信号処理装置２１が設けられたホストコンピューターが提供される。ここにおいて、かかる音声信号処理装置２１はホストコンピューターから出力する音声信号を処理する信号処理モジュールまたはプロセッサー等を指す。一方、雌コネクタ１２はホストコンピューターのケーシング内に嵌設されていて、一端は音声信号処理装置２１と電気的に信号接続され、他端が伝送ケーブル２２の雄コネクタ１１と接続されて、微小形高周波同軸コネクタ１を介して、音声信号処理装置２１の音声信号を外部に伝送し、イヤホンまたは音響装置等の再生装置を用いて再生する。前述と同様に、この種の微小形高周波同軸コネクタ１はねじ込み接続方式によって組み付けられているため、音声信号の伝送は、使用者が複数回挿抜しても影響がなく、接続部も損傷されない。
【００２３】
図６に示すように、本考案の音声信号処理装置２１が設けられた携帯電話機が提供される。ここにおいて、かかる音声信号処理装置２１は、携帯電話機側から送信した音声信号を処理する信号処理モジュールまたはプロセッサーを指す。雌コネクタ１２は携帯電話機のケーシング内に嵌設されていて、一端が音声信号処理装置２１と電気的に信号接続され、他端が伝送ケーブル２２の雄コネクタ１１に接続されて、微小形高周波同軸コネクタ１を介して、音声信号処理装置２１端の音声信号を外部に伝送して、イヤホンまたは音響装置等の再生装置を用いて再生する。前述と同様に、この種の微小形高周波同軸コネクタ１はねじ込み接続方式によって組み付けられており、音声信号の伝送は、使用者が複数回挿抜しても影響がなく、接続部も損傷されない。
【００２４】
図７に示すように、本考案の音声信号処理装置２１が設けられたタブレット型コンピューターが提供される。ここにおいて、かかる音声信号処理装置２１はタブレット型コンピューターから出力する音声信号を処理する信号処理モジュールまたはプロセッサー等を指す。一方、雌コネクタ１２はタブレット型コンピューターのケーシング内に嵌設されていて、かつ、その一端は音声信号処理装置２１と電気的に信号接続され、他端が伝送ケーブル２２の雄コネクタ１１と接続されており、微小形高周波同軸コネクタ１を介して、音声信号処理装置２１の音声信号を外部に伝送し、イヤホンまたは音響装置等の再生装置を用いて再生する。前述と同様に、この種の微小形高周波同軸コネクタ１はねじ込み接続方式によって組み付けられているため、音声信号の伝送は、使用者が複数回挿抜しても影響がなく、接続部も損傷されない。
【００２５】
続いて、本考案の第２実施例、第３実施例、第４実施例の分解図がそれぞれ示された図８〜１０を参照する。図８〜１０に示す第２〜４実施例では、第１実施例とは異なり、接続部１１１には互いに接触しない複数の弧状突起柱１１１１が等間隔に配置されている。それらの弧状突起柱１１１１の数は偶数とすることが好ましく、接続部１１１を凹み溝１２１内部にねじ込むときに傾いたり引っ掛かったりすることを避ける。第２実施例においては、かかる弧状突起柱１１１１の数を２つとしており、かかる弧状突起柱１１１１同士の間に直線状のスペースが形成されている。このスペースによって、接続部１１１を凹み溝１２１にねじ込むときに、傾きによってうまく噛み合わないことや、または引っ掛かってねじ込めない現象が解消され、位置合わせの効果が奏される。さらに、第３実施例においては、弧状突起柱１１１１の間に十字形状のスペースが形成され、第４実施例においては、弧状突起柱１１１１の間に「米」字形状のスペースが形成されている。これにより、弧状突起柱１１１１の間に挟まれて形成されるスペースの態様によって、雄コネクタ１１と、雌コネクタ１２とを組み合わせたときに、より良い噛み合わせができ、ねじ締め付けの利便性を向上できる。
【００２６】
そのほか、雄コネクタ１１には、接続部１１１の周りを取り囲むように設けられた複数の通気孔１１３が設けられており、雄コネクタ１１と雌コネクタ１２とを締め付けるときに、凹み溝１２１内部の空気を順調に排出して、締め付けを妨げない。
【００２７】
本考案の微小形高周波同軸コネクタ１の前述の方式によれば、複数回挿抜しても緩みまたは損傷はなく、さらに、長期間使用後も、依然として元来の緊密性を維持し続けることができ、使用者が聴取する音質が低下することもなく、一定の品質が維持される。さらに、微小形高周波同軸コネクタ１は、音声信号を伝送して再生する様々な電子装置に適用できる。
【符号の説明】
【００２８】
１  微小形高周波同軸コネクタ
１１  雄コネクタ
１１１  接続部
１１１１  弧状突起柱
１１２  第１ねじ山
１１３  通気孔
１２  雌コネクタ
１２１  凹み溝
１２２  第２ねじ山
２１  音声信号処理装置
２２  伝送ケーブル
【図１】
0003204329.tif 000003
【図２】
0003204329.tif 000004
【図３】
0003204329.tif 000005
【図４】
0003204329.tif 000006
【図５】
0003204329.tif 000007
【図６】
0003204329.tif 000008
【図７】
0003204329.tif 000009
【図８】
0003204329.tif 000010
【図９】
0003204329.tif 000011
【図１０】
0003204329.tif 000012